(57)【特許請求の範囲】
【請求項１】
ビルの高層階からほぼ垂直下方に延在し、ビルの各階から投入されたごみ容器を下方に導く垂直輸送管と、上記垂直輸送管に投入された上記ごみ容器が上記垂直輸送管の途中に詰まったことを検出し、この検出に応じて詰り検出信号を発生する詰り検出手段と、高層階に設置され、上記垂直輸送管内を自由落下可能な重量物を格納し、上記詰り検出信号に応じて上記重量物を上記垂直輸送管に投入する重量物投入手段とを具備することを特徴とする高層ビルのごみ容器輸送装置。
【請求項２】
上記ごみ容器は軟質性のごみ容器であり、上記重量物投入手段は上記垂直輸送管の最上部の付近に設置されていることを特徴とする請求項１に記載の高層ビルのごみ容器輸送装置。
【請求項３】
上記詰り検出手段は、上記垂直輸送管を落下する上記ごみ容器を検出し、この検出に応じて落下検出信号を発生する落下検出センサと、上記ごみ容器が上記垂直輸送管の底部に着地したことを検出し、この検出に応じて着地検出信号を発生する着地検出センサとを有し、上記詰り検出手段は、上記落下検出信号の発生から所定時間経過後に上記着地検出信号が発生しない時に、上記詰り検出信号を発生することを特徴とする請求項１に記載の高層ビルのごみ容器輸送装置。
【請求項４】
上記重量物投入手段は、上記重量物を少なくとも二個格納し、上記詰り検出信号に応じて上記二個の重量物の一方を上記垂直輸送管に投入した後に、上記着地検出信号が発生しない時に、残りの重量物を上記垂直輸送管に投入することを特徴とする請求項３に記載の高層ビルのごみ容器輸送装置。
【請求項５】
上記詰り検出手段は、上記垂直輸送管の垂直方向の異なる位置に複数個配置され、上記垂直輸送管を落下する上記ごみ容器を検出し、この検出に応じて落下検出信号を発生する落下検出センサを有し、上記詰り検出手段は、上記落下検出信号の最初の発生から所定時間経過後に、最初の落下検出信号を発生した落下検出センサより下方の落下検出センサからの落下検出信号が発生しない時に、上記詰り検出信号を発生することを特徴とする請求項１に記載の高層ビルのごみ容器輸送装置。
【請求項６】
上記重量物投入手段による上記重量物の投入にもかかわらず、上記着地検出信号が発生しない時には、警告動作を行う手段を更に具備することを特徴とする請求項１に記載の高層ビルのごみ容器輸送装置。
【請求項７】
上記垂直輸送管は上記重量物投入手段の設置位置において開口を形成するように上下に分断され、上記重量物投入手段は、上記垂直輸送管の一部を構成するように上記開口に嵌合した移動筒と、上記重量物を格納する重量物格納筒と、上記移動筒と上記重量物格納筒とを一体的に連結する連結部材と、上記詰り検出信号に応じて上記移動筒を上記開口から退出させると同時に上記重量物格納筒を上記開口に嵌合させる駆動手段とを有することを特徴とする請求項１に記載の高層ビルのごみ容器輸送装置。
【請求項８】
上記垂直輸送管の底部の下方に設けられ、上記垂直輸送管の底部に着地した上記ごみ容器を集積するごみ集積部と、上記垂直輸送管の底部の下方に設けられ、上記垂直輸送管の底部に着地した上記重量物を収容する重量物収容部と、上記垂直輸送管の底部に着地した物が上記ごみ容器と上記重量物との組合せ物であるか、それとも上記ごみ容器のみであるかを弁別する制御装置と、上記制御装置が上記着地物を上記組合せ物と弁別した時には、その組合せ物を上記重量物収容部に移送し、上記ごみ容器のみであると弁別した時には、そのごみ容器を上記ごみ集積部に移送する仕分け手段とを更に具備することを特徴とする請求項１に記載の高層ビルのごみ容器輸送装置。
【請求項９】
上記詰り検出手段は、上記垂直輸送管を落下する上記ごみ容器を検出し、この検出に応じて落下検出信号を発生する落下検出センサと、上記ごみ容器が上記垂直輸送管の底部に着地したことを検出し、この検出に応じて着地検出信号を発生する着地検出センサとを有し、上記詰り検出手段は、上記落下検出信号の発生から所定時間経過後に上記着地検出信号が発生しない時に、上記詰り検出信号を発生し、上記制御装置は、上記詰り検出信号の発生後に上記着地検出信号が発生した時に上記着地物を上記組合せ物と弁別し、上記詰り検出信号の発生なしに上記着地検出信号が発生した時に上記着地物を上記ごみ容器のみと弁別することを特徴とする請求項８に記載の高層ビルのごみ容器輸送装置。
【請求項１０】
上記詰り検出手段は、上記垂直輸送管の垂直方向の異なる位置に複数個配置され、上記垂直輸送管を落下する上記ごみ容器を検出し、この検出に応じて落下検出信号を発生する落下検出センサを有し、上記詰り検出手段は、上記落下検出信号の最初の発生から所定時間経過後に、最初の落下検出信号を発生した落下検出センサより下方の落下検出センサからの落下検出信号が発生しない時に、上記詰り検出信号を発生し、上記制御装置は、上記詰り検出信号の発生後に上記着地検出信号が発生した時に上記着地物を上記組合せ物と弁別し、上記詰り検出信号の発生なしに上記着地検出信号が発生した時に上記着地物を上記ごみ容器のみと弁別することを特徴とする請求項５に記載の高層ビルのごみ容器輸送装置。
【発明の詳細な説明】
【０００１】
【発明の属する技術分野】
本発明は、高層ビルのごみ容器輸送装置に係り、特に合成樹脂シートで梱包したごみカプセル方式の軟質性ごみ容器を垂直輸送管内に落下させる高層ビルのごみ容器輸送装置に関する。
【０００２】
【従来の技術】
従来、マンションなどの高層ビルにはごみ容器輸送装置が設置されている。このごみ容器輸送装置は、高層ビルを上下に貫通する垂直輸送管（ダストシュート）と、垂直輸送管にごみを投入するごみ投入装置と、垂直輸送管の下端に設置されたごみ貯蔵槽などから構成される。ビニール袋などの軟質性のごみ容器に収容されたごみは、各階のごみ投入装置から垂直輸送管に投入され、この垂直輸送管を落下してごみ貯蔵槽に蓄えられ、このごみ貯蔵槽に蓄えられたごみは、定期的に塵芥収集車で運ばれる。
【０００３】
【発明が解決しようとする課題】
ところが、比較的比重が小さくかつ弾力性があるごみ、例えば段ボールなどが軟質性のごみ容器に収容されて、垂直輸送管に投入された場合には、垂直輸送管の内壁と軟質性のごみ容器との間の摩擦力がごみを収容したごみ容器の重量よりも大きい時には、そのごみ容器が垂直輸送管の途中で止まってしまい、垂直輸送管を詰らせるといった問題がある。
【０００４】
なお、このような場合には、その後にたまたま比較的比重の大きなごみを収容したごみ容器が高層階から投入された場合には、この高比重のごみ容器が、垂直輸送管の途中に詰っているごみ容器に衝突して、一体的に降下して詰りを解消することもありうる。しかしながら、低比重のごみ容器が連続的に投入され、複数個積層状態で詰ってしまうと、全体の摩擦力が非常に大きくなるため、その後にたとえ高比重のごみ容器が高層階から投入されても、この高比重のごみ容器も積層状態の低比重ごみ容器の上に停止し、ごみ容器の詰りが一層大きくなり、結局ごみ容器輸送装置を使用禁止とし、作業員がその詰りを除去しなければならないといった事態が発生する。特に、ごみ容器輸送装置の使用者が垂直輸送管の詰りに気が付かず、そのあとも次々にごみを投入して、極めて多量のごみ容器が垂直輸送管の途中に詰ってしまうと、作業員によるその詰りの除去作業は、極めて多くの労力と時間を必要とし、メンテナンス費用の増大を招来する。
そこで、本発明の目的は、投入したごみ容器が垂直輸送管の途中に詰ってしまった場合には自動的にその詰りを解消することができる高層ビルのごみ容器輸送装置を提供することである。
【０００５】
【課題を解決するための手段】
この目的を達成するために請求項１に記載された発明は、ビルの高層階からほぼ垂直下方に延在し、ビルの各階から投入されたごみ容器を下方に導く垂直輸送管と、上記垂直輸送管に投入された上記ごみ容器が上記垂直輸送管の途中に詰まったことを検出し、この検出に応じて詰り検出信号を発生する詰り検出手段と、高層階に設置され、上記垂直輸送管内を自由落下可能な重量物を格納し、上記詰り検出信号に応じて上記重量物を上記垂直輸送管に投入する重量物投入手段とを具備することを特徴とする高層ビルのごみ容器輸送装置である。
【０００６】
ごみ容器が垂直輸送管を落下中に垂直輸送管の内壁に接触し、この接触によって発生する摩擦力がごみ容器の重量よりも大きい場合に、ごみ容器が垂直輸送管の途中に詰ってしまう。このようなごみ容器の詰りが発生した時には、詰り検出手段がこれを検出して詰り検出信号を発生する。重量物投入手段はこの詰り検出信号に応じて重量物を垂直輸送管に投入し、この投入された重量物は垂直輸送管内をほぼ自由落下し、詰っているごみ容器に衝突する。これによって、重量物とごみ容器とは一体となって垂直輸送管内を落下する。こうして、ごみ容器の詰りは、重量物の投入によって自動的に解消される。
【０００７】
請求項２に記載された発明は、請求項１に記載の高層ビルのごみ容器輸送装置において、上記ごみ容器は軟質性のごみ容器であり、上記重量物投入手段は上記垂直輸送管の最上部の付近に設置されていることを特徴とするものである。
重量物投入手段は垂直輸送管の最上部の付近に設置されているため、重量物はどの階で詰ったごみ容器にも衝突してその詰りを解消することができる。
【０００８】
請求項３に記載された発明は、請求項１に記載の高層ビルのごみ容器輸送装置において、上記詰り検出手段は、上記垂直輸送管を落下する上記ごみ容器を検出し、この検出に応じて落下検出信号を発生する落下検出センサと、上記ごみ容器が上記垂直輸送管の底部に着地したことを検出し、この検出に応じて着地検出信号を発生する着地検出センサとを有し、上記詰り検出手段は、上記落下検出信号の発生から所定時間経過後に上記着地検出信号が発生しない時に、上記詰り検出信号を発生することを特徴とするものである。
詰り検出手段は落下検出信号の有無と着地検出信号の有無とに基づき、ごみ容器の詰りを検出するので、詰りを確実かつ正確に検出することができる。
【０００９】
請求項４に記載された発明は、請求項１に記載の高層ビルのごみ容器輸送装置において、上記重量物投入手段は、上記重量物を少なくとも二個格納し、上記詰り検出信号に応じて上記二個の重量物の一方を上記垂直輸送管に投入した後に、上記着地検出信号が発生しない時に、残りの重量物を更に上記垂直輸送管に投入することを特徴とするものである。
第１の重量物の投入によっては詰りを解消できないときには、第２の重量物が自動的に垂直輸送管に投入されるので、一層確実に詰りの解消を図ることができる。
【００１０】
請求項５に記載された発明は、上記詰り検出手段は、上記垂直輸送管の垂直方向の異なる位置に複数個配置され、上記垂直輸送管を落下する上記ごみ容器を検出し、この検出に応じて落下検出信号を発生する落下検出センサを有し、上記詰り検出手段は、上記落下検出信号の最初の発生から所定時間経過後に、最初の落下検出信号を発生した落下検出センサより下方の落下検出センサからの落下検出信号が発生しない時に、上記詰り検出信号を発生することを特徴とするものである。
【００１１】
請求項６に記載された発明は、請求項１に記載の高層ビルのごみ容器輸送装置において、上記重量物投入手段による上記重量物の投入にもかかわらず、上記着地検出信号が発生しない時には、警告動作を行う手段を更に具備することを特徴とするものである。
重量物の投入にもかかわらずごみ容器の詰りを解消できない場合には、その後に投入されるごみ容器が詰りを一層増大し、高層ビルのごみ容器輸送装置の重大な事故に発展する。そこで、ごみ容器の詰りを解消できない時には、直ちに警告動作を行うことによって、高層ビルのごみ容器輸送装置の使用を禁止したり、作業員による迅速な点検動作を行うことができる。
【００１２】
請求項７に記載された発明は、請求項１に記載の高層ビルのごみ容器輸送装置において、上記垂直輸送管は上記重量物投入手段の設置位置において開口を形成するように上下に分断され、上記重量物投入手段は、上記垂直輸送管の一部を構成するように上記開口に嵌合した移動筒と、上記重量物を格納する重量物格納筒と、上記移動筒と上記重量物格納筒とを一体的に連結する連結部材と、上記詰り検出信号に応じて上記移動筒を上記開口から退出させると同時に上記重量物格納筒を上記開口に嵌合させる駆動手段とを有することを特徴とするものである。
この構成によって、詰り発生時に迅速かつ確実に重量物を垂直輸送管に投入することができる。
【００１３】
請求項８に記載された発明は、請求項１に記載の高層ビルのごみ容器輸送装置において、上記垂直輸送管の底部の下方に設けられ、上記垂直輸送管の底部に着地した上記ごみ容器を集積するごみ集積部と、上記垂直輸送管の底部の下方に設けられ、上記垂直輸送管の底部に着地した上記重量物を収容する重量物収容部と、上記垂直輸送管の底部に着地した物が上記ごみ容器と上記重量物との組合せ物であるか、それとも上記ごみ容器のみであるかを弁別する制御装置と、上記制御装置が上記着地物を上記組合せ物と弁別した時には、その組合せ物を上記重量物収容部に移送し、上記ごみ容器のみであると弁別した時には、そのごみ容器を上記ごみ集積部に移送する仕分け手段とを更に具備することを特徴とするものである。
この構成によって、ごみ容器が正常に垂直輸送管の底部に着地した時にはごみ集積部に自動的に集積され、重量物が垂直輸送管の底部に着地した時には重量物収容部に自動的に収容される。
【００１４】
請求項９に記載された発明は、請求項７に記載の高層ビルのごみ容器輸送装置において、上記詰り検出手段は、上記垂直輸送管を落下する上記ごみ容器を検出し、この検出に応じて落下検出信号を発生する落下検出センサと、上記ごみ容器が上記垂直輸送管の底部に着地したことを検出し、この検出に応じて着地検出信号を発生する着地検出センサとを有し、上記詰り検出手段は、上記落下検出信号の発生から所定時間経過後に上記着地検出信号が発生しない時に、上記詰り検出信号を発生し、上記制御装置は、上記詰り検出信号の発生後に上記着地検出信号が発生した時に上記着地物を上記組合せ物と弁別し、上記詰り検出信号の発生なしに上記着地検出信号が発生した時に上記着地物を上記ごみ容器のみと弁別することを特徴とするものである。
着地物が詰り検出信号と着地検出信号とに基づき弁別されるため、正確な弁別を行うことができる。
【００１５】
請求項１０に記載された発明は、上記詰り検出手段は、上記垂直輸送管の垂直方向の異なる位置に複数個配置され、上記垂直輸送管を落下する上記ごみ容器を検出し、この検出に応じて落下検出信号を発生する落下検出センサを有し、上記詰り検出手段は、上記落下検出信号の最初の発生から所定時間経過後に、最初の落下検出信号を発生した落下検出センサより下方の落下検出センサからの落下検出信号が発生しない時に、上記詰り検出信号を発生し、上記制御装置は、上記詰り検出信号の発生後に上記着地検出信号が発生した時に上記着地物を上記組合せ物と弁別し、上記詰り検出信号の発生なしに上記着地検出信号が発生した時に上記着地物を上記ごみ容器のみと弁別することを特徴とするものである。
【００１６】
【発明の実施の形態】
以下に本発明による高層ビルのごみ容器輸送装置の実施例を図１を参照して説明する。
図１において、高層ビルに設置された垂直輸送管１には各階ごとにごみ投入装置２が接続され、ごみを収容した合成樹脂製の軟質性ごみ容器３がごみ投入装置２から垂直輸送管１に投入される。各ごみ投入装置２の下方位置の垂直輸送管１の内壁面には発光源４と光電センサ５との対が取付けられている。これらの発光源４及び光電センサ５は上下方向に所定の間隔で垂直輸送管１に沿って配置されている。また、発光源４と光電センサ５は垂直輸送管１の直径方向に互いに対向し、光電センサ５は垂直輸送管１を落下する軟質性ごみ容器３を検出して、落下検出信号を発生する。各光電センサ５の落下検出信号はライン６を介して制御盤７に入力される。この制御盤７は、上下複数の光電センサ５の落下検出信号の発生時点と上下複数の光電センサ５の間隔とに基づき、ごみ容器３の落下速度を算出する。
【００１７】
こうして、光電センサ５は、垂直輸送管１を落下するごみ容器３を検出して落下検出信号を発生する落下検出センサを構成する。なお、このような落下検出センサは、光電センサ５に限らず、ごみ容器３の落下を検出することができるならば任意のセンサ、例えばごみ容器３の落下に起因する垂直輸送管１内の圧力変化を検出する圧力センサやごみ容器３の接近を検出する近接センサなども使用することができる。
【００１８】
垂直輸送管１の下端には開閉自在な底蓋８が取付けられ、この底蓋８はシリンダなどの駆動装置９によって開閉駆動される。底蓋８の直ぐ上の垂直輸送管１の内壁面には一対の発光源１０と光電センサ１１との対が取付けられている。これらの発光源１０と光電センサ１１は、垂直輸送管１の直径方向に互いに対向し、底蓋８に着地する落下物を検出し、この検出に応じて着地検出信号を発生する。こうして、光電センサ１１は、着地検出センサを構成する。なお、着地検出センサは、光電センサ１１に限らず、底蓋８への落下物の着地を検出することができるならば、任意のセンサを使用することができ、例えば、圧力センサや近接センサや、更には、落下物が底蓋８に着地した時の底蓋８の重量変化を検出する重量センサなども使用することができる。また、光電センサ５と制御盤７と光電センサ１１は、ごみ容器３Ａが垂直輸送管１の途中に詰ってしまったことを検出する詰り検出手段を構成する。また、詰り検出手段は複数の光電センサ５と制御盤７で構成することもできる。
【００１９】
底蓋８の下方には、図示を省略した駆動装置によって往復動されるベルトコンベア１２が配置され、このベルトコンベア１２の一端部には重量物収容箱１３が設置され、ベルトコンベア１２の他端部には図示を省略したごみ集積部が設置されている。ベルトコンベア１２は、制御盤７からの指令に基づき正転及び逆転され、底蓋８に着地した着地物を仕分けして重量物収容箱１３とごみ集積部とに移送する仕分け手段を構成する。
【００２０】
垂直輸送管１の最上部は開口１４を形成するように上下に分断され、この開口１４には移動筒１５が嵌合され、この移動筒１５はこの嵌合によって垂直輸送管１の一部を構成する。移動筒１５は、その内径が垂直輸送管１の内径とほぼ同一であり、水平方向に移動可能である。移動管１５の両側には連結部材１６、１７によって円筒状の重量物格納筒１８、１９が夫々連結され、これらの重量物格納筒１８、１９の内径も垂直輸送管１の内径とほぼ同径である。重量物格納筒１８、１９には夫々重量物２０が格納されている。一方の重量物格納筒１８にはシリンダなどの駆動装置２１に連結され、この駆動装置２１は重量物格納筒１８と移動筒１５と重量物格納筒１９とを一体に水平方向に移動する。
【００２１】
なお、重量物２０は、球形状であり、その直径が垂直輸送管１の内径の６０％〜７０％である。また重量物２０の重量は、通常垂直輸送管１に投入されるごみの詰ったごみ容器３の重量に応じて決定され、例えば、ごみの詰ったごみ容器３の重量が５Ｋｇ〜３０Ｋｇの時には、５Ｋｇ〜１５Ｋｇに選定される。
これらの移動筒１５と重量物格納筒１８、１９と駆動装置２１とは、重量物２０を垂直輸送管１に投入する重量物投入装置２２を構成する。
【００２２】
次に、この実施の形態の作用を説明する。
ごみ投入装置２から投入されたごみ容器３は、垂直輸送管１内を落下して底蓋８に着地する。この後に、底蓋８は駆動装置９によって開放され、ごみ容器３はベルトコンベア１２上に落下する。各光電センサ５は、落下中のごみ容器３を検出して夫々落下検出信号を発生する。同様に、光電センサ１１もごみ容器３の着地を検出して着地検出信号を発生する。制御盤７はこれらの落下検出信号の発生時間間隔からごみ容器３の落下速度を算出すると共に、この算出したごみ容器落下速度から決定されるごみ容器３の着地すべき時間に、またはその２〜３倍の時間以内に、上述の着地検出信号が発生したことを判別して、ごみ容器３が正常に着地したことを確認する。これにより、制御盤７は、ベルトコンベア１２を正転させて、ベルトコンベア１２上のごみ容器３を図示を省略したごみ集積部に排出する。
【００２３】
もし、ごみ投入装置２から投入されたごみ容器３Ａが、例えば比較的軽量でかつ大きな容積であるため、落下途中で垂直輸送管１の内壁に接触し、内壁との摩擦力によって垂直輸送管１に詰ってしまった場合には、いずれかの光電センサ５からの落下検出信号の発生にもかかわらず、光電センサ１１からの着地検出信号は発生しない。制御盤７は、落下検出信号の発生から所定時間以内に着地検出信号が発生しないことを検出すると、これをごみ容器３の詰りと判断し、重量物投入装置２２の駆動装置２１に駆動信号を送出する。駆動装置２１は、この駆動信号に応じて重量物格納筒１８を左方向に駆動する。これによって、移動筒１５が垂直輸送管１の開口１４から退出し、その代りに重量物格納筒１８がその開口１４に嵌合する。これによって、重量物格納筒１８に格納されていた重量物２０が垂直輸送管１内に投入される。この重量物２０は、上述のようにその直径が垂直輸送管１の内径よりも十分に小径であるため、垂直輸送管１の内壁に殆ど接触することなくほぼ自由落下し、垂直輸送管１の途中に停止しているごみ容器３Ａに衝突する。この衝突によって、重量物２０とごみ容器３Ａは一体的に降下し底蓋８に着地する。なお、重量物投入装置２２は重量物２０の投入後に直ちに、初期状態、即ち移動筒１５が垂直輸送管１の開口１４に嵌合した状態に復帰する。
【００２４】
光電センサ１１は重量物２０及びごみ容器３Ａの着地を検出して着地検出信号を発生する。駆動装置９は底蓋８を開放駆動して、これによって重量物２０及びごみ容器３Ａがベルトコンベア１２上に落下する。制御盤７は重量物投入装置２２への駆動信号の送出後から所定時間以内に着地検出信号が発生したことから、重量物２０及びごみ容器３Ａが着地したことを判別し、ベルトコンベア１２を逆転駆動させる。これによって、ベルトコンベア１２は重量物２０及びごみ容器３Ａを重量物収容箱１３に収容する。
【００２５】
制御盤７は、重量物２０が重量物収容箱１３に収容された時には、それを表す音声的または視覚的な表示を行う。これによって、高層ビルのごみ容器輸送装置の管理者は、重量物２０を重量物収容箱１３から取出して重量物投入装置２２の重量物格納筒１８に補充し、次のごみ容器の詰りに備える。もし、この重量物２０の重量物格納筒１８への補充前に、新たにごみ容器３Ａの詰りが発生した場合には、重量物投入装置２２の駆動装置２１は重量物格納筒１９を垂直輸送管１の開口１４に移動して、この重量物格納筒１９に収容された重量物２０を垂直輸送管１に投入する。
【００２６】
上述の第１回目の重量物２０の投入にもかかわらず、着地検出信号が発生しない場合、即ちごみ容器３Ａの詰りが解消しない場合には、制御盤７は再度、重量物投入装置２２の駆動装置２１に駆動信号を送出し、移動筒１５を垂直輸送管１の開口１４から退出させ、その代りに重量物格納筒１９を開口１４に嵌合させる。これによって、重量物格納筒１９に格納されていた重量物２０が垂直輸送管１内に投入される。投入された重量物２０は、垂直輸送管１内を自重落下し、途中に詰っているごみ容器３Ａ及び第１回目の重量物２０に衝突する。この衝突によって、第１及び第２回目の重量物２０とごみ容器３Ａは一体的に降下し底蓋８に着地して、詰りを解消する。その後の作用は、第１回目の重量物投入の場合と同様である。
【００２７】
第２回目の重量物２０の投入にもかかわらず、何等かの原因によって詰りが解消しなかった場合には、制御盤７は着地検出信号が発生しなかったことからその旨を判断し、故障信号を発生し、全部のごみ投入装置２の使用を禁止すると共に、管理者に警告する。
【００２８】
以上の実施例では、第１の重量物の投入では詰りを解消できない時には、第２の重量物を投入し、それでも詰りを解消できない時に、警報を発生すると共にごみ投入装置２の使用を禁止するものであった。しかしながら、本発明はこれに限らず、第１の重量物の投入で詰りを解消できない時に、直ちに警報を発生すると共にごみ投入装置２の使用を禁止することもできる。
【００２９】
【発明の効果】
また、上記の実施例ではごみの詰りの判断に光電センサ１１の着地検出信号を使用しているが、光電センサ１１に替わりにこれより上部に配置された光電センサ５を使用することもできる。ある光電センサの落下検出信号の発生後、所定時間後になってもそれより下部の光電センサの落下検出信号が発生しない時に、制御盤にごみの詰りと判断させるものである。
以上の説明から明らかなように本発明によれば、ごみ容器が垂直輸送管の途中に詰ってしまった時には、詰り検出手段がこれを検出し、この検出に応じて重量物投入手段が重量物を垂直輸送管に投入して重量物をごみ容器に衝突させてごみ容器の詰りを自動的に解消することができる。従って、高層ビルのごみ容器輸送装置の使用禁止状態を招来することなくなり、保守管理が非常に簡便になる。
更に、比較的簡単な構成であるため、製造コスト及びメンテナンスコストも安価である。
【図面の簡単な説明】
【図１】本発明による高層ビルのごみ容器輸送装置の一実施例を概略的に示した断面図。
【符号の説明】
１  垂直輸送管
３  ごみ容器
５  ごみ容器落下検出用の光電センサ
７  制御盤
１１  着地検出用の光電センサ
５、１１、７  詰り検出手段
２０  重量物
２２  重量物投入装置
【図１】
0003587921.tif 000002